【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
画像の複雑な領域を検出するための方法であって、前記画像のスライスが、現在ブロックと、次のブロックと、前のブロックとを備え、前記方法が、
受信機回路が、前記画像の前記スライスを備える１つ以上のビデオブロックを受信することと、
メモリ回路が、前記１つ以上のビデオブロックを記憶することと、
ハードウェアプロセッサが、前記現在ブロックの現在複雑さ値と、前記次のブロックの次の複雑さ値と、前記前のブロックの前の複雑さ値とを計算することと、
前記ハードウェアプロセッサが、前記前の複雑さ値が第１の閾値よりも小さいかどうかと、前記次の複雑さ値が第２の閾値よりも大きいこととを決定することと、ここにおいて、前記第２の閾値が前記第１の閾値よりも大きい、
前記ハードウェアプロセッサが、前記現在ブロックへの遷移も前記前のブロックへの遷移も符号化要求を増加させないことを決定することと、
前記ハードウェアプロセッサが、（ｉ）前記前の複雑さ値が前記第１の閾値よりも小さいことと、前記次の複雑さ値が前記第２の閾値よりも大きいこととを検出すること、及び（ｉｉ）前記現在ブロックへの前記遷移も前記前のブロックへの前記遷移も符号化要求を増加させないことを決定することに応答して、前記次のブロックに遷移するときに符号化要求の増加を検出することと、
検出された符号化要求の前記増加又は符号化要求の増加の決定された欠如に少なくとも部分的に基づいて前記１つ以上のビデオブロックをコード化することと、
送信機回路が、表示のためにデバイスにコード化された前記１つ以上のビデオブロックを送信することと
を備える、方法。
【請求項２】
前記現在ブロックの前記現在複雑さ値と、前記次のブロックの前記次の複雑さ値と、前記前のブロックの前記前の複雑さ値とを計算することが、前記現在ブロック、前記次のブロック及び前記前のブロックのうちの各ブロックについて、（ｉ）変換係数を決定するために変換を適用することと、（ｉｉ）前記変換係数の定義された絶対和を決定することとを備える、請求項１に記載の方法。
【請求項３】
前記変換を適用することが、離散コサイン変換（ＤＣＴ）及びアダマール変換のうちの１つを適用することを備える、請求項２に記載の方法。
【請求項４】
前記ＤＣＴ変換及び前記アダマール変換のうちの１つを適用する前に、前記現在ブロック、前記次のブロック及び前記前のブロックの各々に色変換を適用することを更に備える、請求項３に記載の方法。
【請求項５】
前記定義された絶対和を決定することが、前記変換係数の少なくともサブセットの絶対和及び絶対２乗和のうちの１つを決定することを備える、請求項２に記載の方法。
【請求項６】
絶対和及び絶対２乗和のうちの１つを決定することが、前記変換係数のサブセットの絶対和及び絶対２乗和のうちの１つを計算することを備え、前記サブセットが、直流（ＤＣ）係数に関する第１の変換係数及び低周波数係数に関する第２の変換係数のうちの少なくとも１つを含まない、請求項５に記載の方法。
【請求項７】
符号化要求の増加を検出することに応答して、量子化パラメータ（ＱＰ）を調整することを更に備える、請求項１に記載の方法。
【請求項８】
前記ＱＰを調整することが、前記増加した符号化要求を検出することに応答して、ＱＰ調整値だけ前記ＱＰを増加させることを備える、請求項７に記載の方法。
【請求項９】
前記現在ブロックへの前記遷移も前記前のブロックへの前記遷移も符号化要求を増加させないことの前記決定することが、現在ブロック時間における前記現在ブロック、前記次のブロック及び前記前のブロックの前記複雑さ値に基づく、請求項１に記載の方法。
【請求項１０】
前記現在ブロックへの前記遷移も前記前のブロックへの前記遷移も符号化要求を増加させないことの前記決定することが、１つ以上前のブロック時間における前記現在ブロック、前記次のブロック及び前記前のブロックの前記複雑さ値に基づく、請求項１に記載の方法。
【請求項１１】
前記次のブロックに遷移するときに符号化要求の増加を検出することに応答して、前記遷移の指示をコーデックのエンコーダからデコーダに信号伝達することを更に備える、請求項１に記載の方法。
【請求項１２】
固定レートコーデックのパラメータに基づいて、前記第１の閾値及び前記第２の閾値のうちの少なくとも１つをチューニングすることを更に備える、請求項１に記載の方法。
【請求項１３】
画像の複雑な領域を検出するための機器であって、前記機器が、
前記画像に関係するビデオ情報を記憶するように構成されたメモリと、前記画像のスライスが、現在ブロックと、次のブロックと、前のブロックとを備える、
前記メモリに結合された少なくとも１つのプロセッサ回路と
を備え、前記少なくとも１つのプロセッサ回路が、
前記現在ブロックの現在複雑さ値と、前記次のブロックの次の複雑さ値と、前記前のブロックの前の複雑さ値とを計算することと、
前記前の複雑さ値が第１の閾値よりも小さいかどうかと、前記次の複雑さ値が第２の閾値よりも大きいこととを決定することと、ここにおいて、前記第２の閾値が前記第１の閾値よりも大きい、
前記現在ブロックへの遷移も前記前のブロックへの遷移も符号化要求を増加させないことを決定することと、
（ｉ）前記前の複雑さ値が前記第１の閾値よりも小さいことと、前記次の複雑さ値が前記第２の閾値よりも大きいこととを検出すること、及び（ｉｉ）前記現在ブロックへの前記遷移も前記前のブロックへの前記遷移も符号化要求を増加させないことを決定することに応答して、前記次のブロックに遷移するときに符号化要求の増加を検出することと、
前記検出された符号化要求の増加又は符号化要求の増加の決定された欠如に少なくとも部分的に基づいて前記ビデオ情報をコード化することと
を行うように構成された、
機器。
【請求項１４】
前記少なくとも１つのプロセッサ回路が、前記現在ブロック、前記次のブロック及び前記前のブロックのうちの各ブロックについて、（ｉ）変換係数を決定するために変換を適用することと、（ｉｉ）前記変換係数の定義された絶対和を決定することとを介してを備える、前記現在ブロックの前記現在複雑さ値と、前記次のブロックの前記次の複雑さ値と、前記前のブロックの前記前の複雑さ値とを計算するように更に構成された、請求項１３に記載の機器。
【請求項１５】
前記少なくとも１つのプロセッサ回路が、離散コサイン変換（ＤＣＴ）及びアダマール変換のうちの１つを適用することを介して、前記変換を適用するように更に構成された、請求項１４に記載の機器。
【請求項１６】
前記少なくとも１つのプロセッサ回路が、前記ＤＣＴ変換及び前記アダマール変換のうちの１つを適用する前に、前記現在ブロック、前記次のブロック及び前記前のブロックの各々に色変換を適用するように更に構成された、請求項１５に記載の機器。
【請求項１７】
前記少なくとも１つのプロセッサ回路が、前記変換係数の少なくともサブセットの絶対和及び絶対２乗和のうちの１つを決定することを介して、前記定義された絶対和を決定するように更に構成された、請求項１４に記載の機器。
【請求項１８】
前記少なくとも１つのプロセッサ回路が、前記変換係数のサブセットの絶対和及び絶対２乗和のうちの１つを計算することを介して、絶対和及び絶対２乗和のうちの１つを決定するように更に構成され、前記サブセットが、直流（ＤＣ）係数に関する第１の変換係数及び低周波数係数に関する第２の変換係数のうちの少なくとも１つを含まない、請求項１７に記載の機器。
【請求項１９】
前記少なくとも１つのプロセッサ回路が、符号化要求の増加を検出することに応答して、量子化パラメータ（ＱＰ）を調整するように更に構成された、請求項１３に記載の機器。
【請求項２０】
前記少なくとも１つのプロセッサ回路が、増加した前記符号化要求を検出することに応答して、ＱＰ調整値だけ前記ＱＰを増加させることを介して、前記ＱＰを調整するように更に構成された、請求項１９に記載の機器。
【請求項２１】
前記少なくとも１つのプロセッサ回路が、現在ブロック時間における前記現在ブロック、前記次のブロック及び前記前のブロックの前記複雑さ値に基づいて、前記現在ブロックへの前記遷移も前記前のブロックへの前記遷移も符号化要求を増加させないことを決定するように更に構成された、請求項１３に記載の機器。
【請求項２２】
前記少なくとも１つのプロセッサ回路が、１つ以上前のブロック時間における前記現在ブロック、前記次のブロック及び前記前のブロックの前記複雑さ値に基づいて、前記現在ブロックへの前記遷移も前記前のブロックへの前記遷移も符号化要求を増加させないことを決定するように更に構成された、請求項１３に記載の機器。
【請求項２３】
画像の複雑な領域を検出するための装置であって、前記画像のスライスが、現在ブロックと、次のブロックと前のブロックとを備え、前記装置が、
前記画像の前記スライスを備える１つ以上のビデオブロックを受信するための手段と、
前記１つ以上のビデオブロックを記憶するための手段と、
前記現在ブロックの現在複雑さ値と、前記次のブロックの次の複雑さ値と、前記前のブロックの前の複雑さ値とを計算するための手段と、
前記前の複雑さ値が第１の閾値よりも小さいかどうかと、前記次の複雑さ値が第２の閾値よりも大きいこととを決定するための手段と、ここにおいて、前記第２の閾値が前記第１の閾値よりも大きい、
前記現在ブロックへの遷移も前記前のブロックへの遷移も符号化要求を増加させないことを決定するための手段と、
（ｉ）前記前の複雑さ値が前記第１の閾値よりも小さいことと、前記次の複雑さ値が前記第２の閾値よりも大きいこととを検出すること、及び（ｉｉ）前記現在ブロックへの前記遷移も前記前のブロックへの前記遷移も符号化要求を増加させないことを決定することに応答して、前記次のブロックに遷移するときに符号化要求の増加を検出するための手段と、
検出された符号化要求の前記増加又は符号化要求の増加の決定された欠如に少なくとも部分的に基づいて前記１つ以上のビデオブロックをコード化するための手段と、
表示のためにデバイスに前記コード化された１つ以上のビデオブロックを送信するための手段と、
を備える、装置。
【請求項２４】
前記現在ブロックの前記現在複雑さ値と、前記次のブロックの前記次の複雑さ値と、前記前のブロックの前記前の複雑さ値とを計算するための前記手段が、前記現在ブロック、前記次のブロック及び前記前のブロックのうちの各ブロックについて、変換係数を決定するために変換を適用するための手段と、前記変換係数の定義された絶対和を決定するための手段とを備える、請求項２３に記載の装置。
【請求項２５】
前記変換を適用するための前記手段が、離散コサイン変換（ＤＣＴ）及びアドマール変換のうちの１つを適用するための手段と、前記現在ブロック、前記次のブロック及び前記前のブロックの各々に色変換を適用するための手段とを備える、請求項２４に記載の装置。
【請求項２６】
前記増加した符号化要求を検出することに応答して、量子化パラメータ（ＱＰ）を調整するための手段を更に備える、請求項２３に記載の装置。
【請求項２７】
画像に関係するビデオ情報を記憶したコンピュータ可読記憶媒体であって、ここにおいて、前記画像のスライスが、現在ブロックと、次のブロックと、前のブロックとを備え、ここにおいて、前記記憶媒体は、実行されたとき、機器のプロセッサに、
前記現在ブロックの現在複雑さ値と、前記次のブロックの次の複雑さ値と、前記前のブロックの前の複雑さ値とを計算することと、
前記前の複雑さ値が第１の閾値よりも小さいかどうかと、前記次の複雑さ値が第２の閾値よりも大きいこととを決定することと、ここにおいて、前記第２の閾値が前記第１の閾値よりも大きい、
前記現在ブロックへの遷移も前記前のブロックへの遷移も符号化要求を増加させないことを決定することと、
（ｉ）前記前の複雑さ値が前記第１の閾値よりも小さいことと、前記次の複雑さ値が前記第２の閾値よりも大きいこととを検出すること、及び（ｉｉ）前記現在ブロックへの前記遷移も前記前のブロックへの前記遷移も符号化要求を増加させないことを決定することに応答して、前記次のブロックに遷移するときに符号化要求の増加を検出することと、
検出された符号化要求の前記増加又は符号化要求の増加の決定された欠如に少なくとも部分的に基づいて前記画像の１つ以上のブロックをコード化することと
を行わせる命令を更に記憶した、コンピュータ可読記憶媒体。
【請求項２８】
実行されたとき、前記プロセッサに、前記現在ブロック、前記次のブロック、及び前記前のブロックのうちの各ブロックについて、変換係数を決定するために変換を適用することと、前記変換係数の定義された絶対和を決定することとを介して、前記現在ブロックの前記現在複雑さ値と、前記次のブロックの前記次の複雑さ値と、前記前のブロックの前記前の複雑さ値とを計算させる命令を更に記憶した、請求項２７に記載のコンピュータ可読記憶媒体。
【請求項２９】
実行されたとき、前記プロセッサに、離散コサイン変換（ＤＣＴ）及びアドマール変換のうちの１つを適用することと、前記現在ブロック、前記次のブロック及び前記前のブロックの各々に色変換を適用することとを介して、前記変換を適用させる命令を更に記憶した、請求項２８に記載のコンピュータ可読記憶媒体。
【請求項３０】
実行されたとき、前記プロセッサに、増加した前記符号化要求を検出することに応答して、量子化パラメータ（ＱＰ）を調整させる命令を更に記憶した、請求項２７に記載のコンピュータ可読記憶媒体。
【手続補正２】
【補正対象書類名】明細書
【補正対象項目名】００８９
【補正方法】変更
【補正の内容】
【００８９】
[0101]上記について様々な異なる実施形態に関して説明したが、一実施形態からの特徴又は要素は、本開示の教示から逸脱することなく他の実施形態と組み合わせられ得る。但し、それぞれの実施形態間の特徴の組合せは、必ずしもそれに限定されるとは限らない。本開示の様々な実施形態について説明した。これら及び他の実施形態は以下の特許請求の範囲内に入る。
以下に、本願の出願当初の特許請求の範囲に記載された発明を付記する。
［Ｃ１］
画像の複雑な領域を検出するための方法であって、前記画像のスライスが、現在ブロックと、次のブロックと、前のブロックとを備え、前記方法が、
前記現在ブロックの現在複雑さ値と、前記次のブロックの次の複雑さ値と、前記前のブロックの前の複雑さ値とを計算することと、
前記前の複雑さ値が第１の閾値よりも小さいことと、前記次の複雑さ値が第２の閾値よりも大きいこととを検出することと、ここにおいて、前記第２の閾値が前記第１の閾値よりも大きい、
前記現在ブロックへの遷移も前記前のブロックへの遷移も平坦−複雑領域遷移ではないと決定することと、
（ｉ）前記前の複雑さ値が前記第１の閾値よりも小さいことと、前記次の複雑さ値が前記第２の閾値よりも大きいこととを検出すること、及び（ｉｉ）前記現在ブロックへの前記遷移も前記前のブロックへの前記遷移も平坦−複雑領域遷移ではないと決定することに応答して、前記次のブロックに遷移するときに平坦−複雑領域遷移を検出することと
を備える、方法。
［Ｃ２］
前記現在ブロックの前記現在複雑さ値と、前記次のブロックの前記次の複雑さ値と、前記前のブロックの前記前の複雑さ値とを計算することが、前記現在ブロック、前記次のブロック及び前記前のブロックのうちの各ブロックについて、（ｉ）変換係数を決定するために変換を適用することと、（ｉｉ）前記変換係数の定義された絶対和を決定することとを備える、Ｃ１に記載の方法。
［Ｃ３］
前記変換を適用することが、離散コサイン変換（ＤＣＴ）及びアダマール変換のうちの１つを適用することを備える、Ｃ２に記載の方法。
［Ｃ４］
前記ＤＣＴ変換及び前記アダマール変換のうちの１つを適用する前に、前記現在ブロック、前記次のブロック及び前記前のブロックの各々に色変換を適用することを更に備える、Ｃ３に記載の方法。
［Ｃ５］
前記定義された絶対和を決定することが、前記変換係数の少なくともサブセットの絶対和及び絶対２乗和のうちの１つを決定することを備える、Ｃ２に記載の方法。
［Ｃ６］
絶対和及び絶対２乗和のうちの１つを決定することが、前記変換係数のサブセットの絶対和及び絶対２乗和のうちの１つを計算することを備え、前記サブセットが、直流（ＤＣ）係数に関する第１の変換係数及び低周波数係数に関する第２の変換係数のうちの少なくとも１つを含まない、Ｃ５に記載の方法。
［Ｃ７］
平坦−複雑領域遷移を検出することに応答して、量子化パラメータ（ＱＰ）を調整することを更に備える、Ｃ１に記載の方法。
［Ｃ８］
前記ＱＰを調整することが、平坦−複雑領域遷移を検出することに応答して、ＱＰ調整値だけ前記ＱＰを増加させることを備える、Ｃ７に記載の方法。
［Ｃ９］
前記現在ブロックへの前記遷移も前記前のブロックへの前記遷移も平坦−複雑領域遷移ではないと前記決定することが、現在ブロック時間における前記現在ブロック、前記次のブロック及び前記前のブロックの前記複雑さ値に基づく、Ｃ１に記載の方法。
［Ｃ１０］
前記現在ブロックへの前記遷移も前記前のブロックへの前記遷移も平坦−複雑領域遷移ではないと前記決定することが、1つ以上前のブロック時間における前記現在ブロック、前記次のブロック及び前記前のブロックの前記複雑さ値に基づく、Ｃ１に記載の方法。
［Ｃ１１］
前記次のブロックに遷移するときに平坦−複雑領域遷移を検出することに応答して、前記遷移の指示をコーデックのエンコーダからデコーダに信号伝達することを更に備える、Ｃ１に記載の方法。
［Ｃ１２］
固定レートコーデックのパラメータに基づいて、前記第１の閾値及び前記第２の閾値のうちの少なくとも１つをチューニングすることを更に備える、Ｃ１に記載の方法。
［Ｃ１３］
画像の複雑な領域を検出するための機器であって、前記機器が、
前記画像に関係するビデオ情報を記憶するように構成されたメモリと、前記画像のスライスが、現在ブロックと、次のブロックと、前のブロックとを備える、
前記メモリに結合された少なくとも１つのプロセッサ回路と
を備え、前記少なくとも１つのプロセッサ回路が、
前記現在ブロックの現在複雑さ値と、前記次のブロックの次の複雑さ値と、前記前のブロックの前の複雑さ値とを計算することと、
前記前の複雑さ値が第１の閾値よりも小さいことと、前記次の複雑さ値が第２の閾値よりも大きいこととを検出することと、ここにおいて、前記第２の閾値が前記第１の閾値よりも大きい、
前記現在ブロックへの遷移も前記前のブロックへの遷移も平坦−複雑領域遷移ではないと決定することと、
（ｉ）前記前の複雑さ値が前記第１の閾値よりも小さいことと、前記次の複雑さ値が前記第２の閾値よりも大きいこととを検出すること、及び（ｉｉ）前記現在ブロックへの前記遷移も前記前のブロックへの前記遷移も平坦−複雑領域遷移ではないと決定することに応答して、前記次のブロックに遷移するときに平坦−複雑領域遷移を検出することと  を行うように構成された、
機器。
［Ｃ１４］
前記少なくとも１つのプロセッサ回路が、前記現在ブロック、前記次のブロック及び前記前のブロックのうちの各ブロックについて、（ｉ）変換係数を決定するために変換を適用することと、（ｉｉ）前記変換係数の定義された絶対和を決定することとを介してを備える、前記現在ブロックの前記現在複雑さ値と、前記次のブロックの前記次の複雑さ値と、前記前のブロックの前記前の複雑さ値とを計算するように更に構成された、Ｃ１３に記載の機器。
［Ｃ１５］
前記少なくとも１つのプロセッサ回路が、離散コサイン変換（ＤＣＴ）及びアダマール変換のうちの１つを適用することを介して、前記変換を適用するように更に構成された、Ｃ１４に記載の機器。
［Ｃ１６］
前記少なくとも１つのプロセッサ回路が、前記ＤＣＴ変換及び前記アダマール変換のうちの１つを適用する前に、前記現在ブロック、前記次のブロック及び前記前のブロックの各々に色変換を適用するように更に構成された、Ｃ１５に記載の機器。
［Ｃ１７］
前記少なくとも１つのプロセッサ回路が、前記変換係数の少なくともサブセットの絶対和及び絶対２乗和のうちの１つを決定することを介して、前記定義された絶対和を決定するように更に構成された、Ｃ１４に記載の機器。
［Ｃ１８］
前記少なくとも１つのプロセッサ回路が、前記変換係数のサブセットの絶対和及び絶対２乗和のうちの１つを計算することを介して、絶対和及び絶対２乗和のうちの１つを決定するように更に構成され、前記サブセットが、直流（ＤＣ）係数に関する第１の変換係数及び低周波数係数に関する第２の変換係数のうちの少なくとも１つを含まない、Ｃ１７に記載の機器。
［Ｃ１９］
前記少なくとも１つのプロセッサ回路が、平坦−複雑領域遷移を検出することに応答して、量子化パラメータ（ＱＰ）を調整するように更に構成された、Ｃ１３に記載の機器。
［Ｃ２０］
前記少なくとも１つのプロセッサ回路が、平坦−複雑領域遷移を検出することに応答して、ＱＰ調整値だけ前記ＱＰを増加させることを介して、前記ＱＰを調整するように更に構成された、Ｃ１９に記載の機器。
［Ｃ２１］
前記少なくとも１つのプロセッサ回路が、現在ブロック時間における前記現在ブロック、前記次のブロック及び前記前のブロックの前記複雑さ値に基づいて、前記現在ブロックへの前記遷移も前記前のブロックへの前記遷移も平坦−複雑領域遷移ではないと決定するように更に構成された、Ｃ１３に記載の機器。
［Ｃ２２］
前記少なくとも１つのプロセッサ回路が、1つ以上前のブロック時間における前記現在ブロック、前記次のブロック及び前記前のブロックの前記複雑さ値に基づいて、前記現在ブロックへの前記遷移も前記前のブロックへの前記遷移も平坦−複雑領域遷移ではないと決定するように更に構成された、Ｃ１３に記載の機器。
［Ｃ２３］
画像の複雑な領域を検出するための装置であって、前記画像のスライスが、現在ブロックと、次のブロックと前のブロックとを備え、前記装置が、
前記現在ブロックの現在複雑さ値と、前記次のブロックの次の複雑さ値と、前記前のブロックの前の複雑さ値とを計算するための手段と、
前記前の複雑さ値が第１の閾値よりも小さいことと、前記次の複雑さ値が第２の閾値よりも大きいこととを検出するための手段と、ここにおいて、前記第２の閾値が前記第１の閾値よりも大きい、
前記現在ブロックへの遷移も前記前のブロックへの遷移も平坦−複雑領域遷移ではないと決定するための手段と、
（ｉ）前記前の複雑さ値が前記第１の閾値よりも小さいことと、前記次の複雑さ値が前記第２の閾値よりも大きいこととを検出すること、及び（ｉｉ）前記現在ブロックへの前記遷移も前記前のブロックへの前記遷移も平坦−複雑領域遷移ではないと決定することに応答して、前記次のブロックに遷移するときに平坦−複雑領域遷移を検出するための手段と
を備える、装置。
［Ｃ２４］
前記現在ブロックの前記現在複雑さ値と、前記次のブロックの前記次の複雑さ値と、前記前のブロックの前記前の複雑さ値とを計算するための前記手段が、前記現在ブロック、前記次のブロック及び前記前のブロックのうちの各ブロックについて、変換係数を決定するために変換を適用するための手段と、前記変換係数の定義された絶対和を決定するための手段とを備える、Ｃ２３に記載の装置。
［Ｃ２５］
前記変換を適用するための前記手段が、離散コサイン変換（ＤＣＴ）及びアドマール変換のうちの１つを適用するための手段と、前記現在ブロック、前記次のブロック及び前記前のブロックの各々に色変換を適用するための手段とを備える、Ｃ２４に記載の装置。
［Ｃ２６］
平坦−複雑領域遷移を検出することに応答して、量子化パラメータ（ＱＰ）を調整するための手段を更に備える、Ｃ２３に記載の装置。
［Ｃ２７］
画像に関係するビデオ情報を記憶した非一時的コンピュータ可読記憶媒体であって、ここにおいて、前記画像のスライスが、現在ブロックと、次のブロックと、前のブロックとを備え、ここにおいて、前記記憶媒体は、実行されたとき、機器のプロセッサに、
前記現在ブロックの現在複雑さ値と、前記次のブロックの次の複雑さ値と、前記前のブロックの前の複雑さ値とを計算することと、
前記前の複雑さ値が第１の閾値よりも小さいことと、前記次の複雑さ値が第２の閾値よりも大きいこととを検出することと、ここにおいて、前記第２の閾値が前記第１の閾値よりも大きい、
前記現在ブロックへの遷移も前記前のブロックへの遷移も平坦−複雑領域遷移ではないと決定することと、
（ｉ）前記前の複雑さ値が前記第１の閾値よりも小さいことと、前記次の複雑さ値が前記第２の閾値よりも大きいこととを検出すること、及び（ｉｉ）前記現在ブロックへの前記遷移も前記前のブロックへの前記遷移も平坦−複雑領域遷移ではないと決定することに応答して、前記次のブロックに遷移するときに平坦−複雑領域遷移を検出することと
を行わせる命令を更に記憶した、非一時的コンピュータ可読記憶媒体。
［Ｃ２８］
実行されたとき、前記プロセッサに、前記現在ブロック、前記次のブロック、及び前記前のブロックのうちの各ブロックについて、変換係数を決定するために変換を適用することと、前記変換係数の定義された絶対和を決定することとを介して、前記現在ブロックの前記現在複雑さ値と、前記次のブロックの前記次の複雑さ値と、前記前のブロックの前記前の複雑さ値とを計算させる命令を更に記憶した、Ｃ２７に記載の非一時的コンピュータ可読記憶媒体。
［Ｃ２９］
実行されたとき、前記プロセッサに、離散コサイン変換（ＤＣＴ）及びアドマール変換のうちの１つを適用することと、前記現在ブロック、前記次のブロック及び前記前のブロックの各々に色変換を適用することとを介して、前記変換を適用させる命令を更に記憶した、Ｃ２８に記載の非一時的コンピュータ可読記憶媒体。
［Ｃ３０］
実行されたとき、前記プロセッサに、平坦−複雑領域遷移を検出することに応答して、量子化パラメータ（ＱＰ）を調整させる命令を更に記憶した、Ｃ２７に記載の非一時的コンピュータ可読記憶媒体。